(57)【要約】【課題】ＥＴＣ車載機を備える車両で、利用者が提携店舗の利用により駐車料金の割引サービス制度を有する駐車場を利用する際に、駐車場が円滑且つ迅速に駐車料金を徴収可能にする駐車料金徴収方法および装置を提供する。【解決手段】駐車場事業者１は、駐車場管理サーバ２、センターサーバ３およびデータベース４を備える。利用者の車両８のＥＴＣ車載機９が駐車場管理サーバ２と通信して利用者情報を取得し、提携店舗での利用情報は、提携店舗のＰＯＳ端末５から直接又はそれが発行するレシートの２次元コードに基づいて利用者の携帯端末６を介して受け取る。センターサーバ３は、これらの情報に基づいて割引された利用者の駐車料金を計算して徴収し、また割引料金を提携店舗から徴収する。【選択図】図１
2005182428.tif 000002
【特許請求の範囲】
【請求項１】
提携店舗を有し、該提携店舗での利用状況により駐車料金が割引される割引サービス制度を有する駐車場を運営する駐車場事業者の駐車料金を徴収する駐車料金徴収方法において、
前記駐車場を利用する利用者の入退場情報を取得することと、前記利用者の前記提携店舗での利用情報を取得することと、前記入退場情報および前記提携店舗での利用情報に基づき割引された駐車料金を計算して前記利用者から徴収し、前記提携店舗の利用による割引料金を前記店舗から徴収することとを有することを特徴とする駐車料金徴収方法。
【請求項２】
前記利用者の車両はＥＴＣ車載機を搭載し、前記駐車場事業者は、前記ＥＴＣ車載機と通信して前記利用者情報および入退場情報を取得することを特徴とする請求項１に記載の駐車料金徴収方法。
【請求項３】
前記利用者による前記提携店舗での利用情報は、前記提携店舗が発行するレシートの２次元コードに基づき、前記利用者の携帯端末を介して前記駐車場事業者へ送信することを特徴とする請求項１又は２に記載の駐車料金徴収方法。
【請求項４】
前記利用者による前記提携店舗での利用情報は、前記提携店舗のＰＯＳ端末から前記駐車場事業者へ送信されることを特徴とする請求項１又は２に記載の駐車料金徴収方法。
【請求項５】
前記利用者の割引された駐車料金は、クレジット会社に対して請求されることを特徴とする請求項１乃至４の何れかに記載の駐車料金徴収方法。
【請求項６】
前記提携店舗に対する割引料金の徴収は、予め決められた一定期間毎に纏めて請求されることを特徴とする請求項１乃至５の何れかに記載の駐車料金徴収方法。
【請求項７】
提携店舗を有し、この提携店舗での利用状況により駐車料金が割引される割引サービス制度を有する駐車場のＥＴＣ搭載車両の利用者による駐車料金を徴収する駐車料金徴収装置において、
前記駐車場あるいは駐車場事業者には、前記利用者のＥＴＣ車載機と通信する駐車場管理サーバと、利用者情報を蓄積するデータベースと、前記駐車場管理サーバとのデータの送受信、前記データベースの参照および前記提携店舗での利用者の利用情報を受け取り、前記利用者の割引された駐車料金の計算および前記提携店舗に対して請求する割引料金の計算を行うセンターサーバとを備えることを特徴とする駐車料金徴収装置。
【請求項８】
前記提携店舗の利用情報は、前記提携店舗のＰＯＳ端末から受け取ることを特徴とする請求項７に記載の駐車料金徴収装置。
【請求項９】
前記提携店舗の利用情報は、前記提携店舗が発行するレシートに基づき利用者の携帯電話を介して受け取ることを特徴とする請求項７に記載の駐車料金徴収装置。
【請求項１０】
割引情報管理サーバを備え、前記提携店舗における利用者の利用情報を管理し前記駐車場へ割引額情報として送信することを特徴とする請求項７、８又は９に記載の駐車料金徴収装置。
【発明の詳細な説明】
【技術分野】
【０００１】
本発明は駐車料金徴収方法および装置に関し、例えば、提携店舗を有し、この提携店舗での利用状況に応じて駐車料金が割引される割引制度を採用するチケットレス駐車場の駐車料金徴収方法および装置に関する。
【背景技術】
【０００２】
近年ＥＴＣ（Electronic
Toll Collection）車載機等の車載端末を利用する駐車場の入退場システムが導入されつつある。斯かるチケットレス駐車場システムのメリット（利点）は、ユーザが駐車券等を持つ必要がないことおよび入場時の駐車券取り出しや退場時の駐車券による精算のための停車および窓の開閉作業が不要になり、円滑に入退場を可能にすることである。
【０００３】
斯かる技術分野における従来技術として、ＥＴＣを利用して自動車で無人式駐車場やドライブスルー式ファーストフード店等の施設を利用する際の利用料金の自動精算を行う自動料金収受方法が開示されている（例えば、特許文献１参照。）。また、車両が殆んどノンストップで駐車場に入退場でき且つ駐車料金を自動的に決済可能にする駐車場自動料金システムが開示されている（例えば、特許文献２参照。）。
【特許文献１】特開２００３−５１０３８号公報（第３頁、第１図）
【特許文献２】特開２０００−２８５１５７具公報（第４−５頁、第１図）
【発明の開示】
【発明が解決しようとする課題】
【０００４】
しかし、現在普及している駐車場の割引サービスは、提携店舗利用による駐車料金割引サービス制度においては、店舗における利用（支払）料金に応じて無料利用券を渡したり、割引券を発行したり又は駐車券の磁気データに割引データを書き込む等の仕組みである。そのために、ユーザが駐車券を扱うことが不可避であり、駐車場への入場又はそこからの退場時に停車および車両の窓の開閉が必要である。
【０００５】
上述の如く、現在の駐車料金割引システムでは、例えＥＴＣ搭載車両であっても、駐車券を必要とし、円滑な入退場を阻害するという課題があった。
【０００６】
本発明は、従来技術の斯かる課題に鑑みなされたものであり、割引制度を採用する場合であっても円滑な入退場が可能な駐車場等の駐車料金徴収方法および装置を提供することを目的とする。
【課題を解決するための手段】
【０００７】
前述の課題を解決するため、本発明による駐車料金徴収方法および装置は次のような特徴的な構成を採用している。
【０００８】
（１）提携店舗を有し、該提携店舗での利用状況により駐車料金が割引される割引サービス制度を有する駐車場を運営する駐車場事業者の駐車料金を徴収する駐車料金徴収方法において、
前記駐車場を利用する利用者の入退場情報を取得することと、前記利用者の前記提携店舗での利用情報を取得することと、前記入退場情報および前記提携店舗での利用情報に基づき割引された駐車料金を計算して前記利用者から徴収し、前記提携店舗の利用による割引料金を前記店舗から徴収することとを有する駐車料金徴収方法。
【０００９】
（２）前記利用者の車両はＥＴＣ車載機を搭載し、前記駐車場事業者は、前記ＥＴＣ車載機と通信して前記利用者情報および入退場情報を取得する上記（１）の駐車料金徴収方法。
【００１０】
（３）前記利用者による前記提携店舗での利用情報は、前記提携店舗が発行するレシートの２次元コードに基づき、前記利用者の携帯端末を介して前記駐車場事業者へ送信する上記（１）又は（２）の駐車料金徴収方法。
【００１１】
（４）前記利用者による前記提携店舗での利用情報は、前記提携店舗のＰＯＳ端末から前記駐車場事業者へ送信される上記（１）又は（２）の駐車料金徴収方法。
【００１２】
（５）前記利用者の割引された駐車料金は、クレジット会社に対して請求される上記（１）乃至（４）の何れかの駐車料金徴収方法。
【００１３】
（６）前記提携店舗に対する割引料金の徴収は、予め決められた一定期間毎に纏めて請求される上記（１）乃至（５）の何れかの駐車料金徴収方法。
【００１４】
（７）提携店舗を有し、この提携店舗での利用状況により駐車料金が割引される割引サービス制度を有する駐車場のＥＴＣ搭載車両の利用者による駐車料金を徴収する駐車料金徴収装置において、
前記駐車場あるいは駐車場事業者には、前記利用者のＥＴＣ車載機と通信する駐車場管理サーバと、利用者情報を蓄積するデータベースと、前記駐車場管理サーバとのデータの送受信、前記データベースの参照および前記提携店舗での利用者の利用情報を受け取り、前記利用者の割引された駐車料金の計算および前記提携店舗に対して請求する割引料金の計算を行うセンターサーバとを備える駐車料金徴収装置。
【００１５】
（８）前記提携店舗の利用情報は、前記提携店舗のＰＯＳ端末から受け取る上記（７）の駐車料金徴収装置。
【００１６】
（９）前記提携店舗の利用情報は、前記提携店舗が発行するレシートに基づき利用者の携帯電話を介して受け取る上記（７）の駐車料金徴収装置。
【００１７】
（１０）割引情報管理サーバを備え、前記提携店舗における利用者の利用情報を管理し前記駐車場へ割引額情報として送信する上記（７）、（８）又は（９）の駐車料金徴収装置。
【発明の効果】
【００１８】
本発明の駐車料金徴収方法および装置によると、利用者および提携店舗に対してそれぞれ割引された駐車料金および割引料金を電子的に決済することが可能であるので、簡単且つ迅速な処理が可能である。即ち、駐車場は駐車券の発行および管理が不要になり、また提携店舗は駐車券を事前に購入して利用者に手渡す等の手間を省くことが可能である。
【実施例１】
【００１９】
次に、本発明による駐車料金徴収方法および装置の好適実施例の構成および動作を、添付図面を参照して詳細に説明する。
【００２０】
先ず、図１は、本発明の駐車料金徴収装置又はシステムの第１実施例のシステム構成を示すブロック図である。この駐車料金徴収装置の特定例としては、例えばショッピングモール等における駐車場の例が挙げられる。
【００２１】
駐車料金徴収装置は、駐車場事業者１に設置される駐車場管理サーバ２、各種情報を管理するセンターサーバ３および各種ユーザデータ等を蓄積するデータベース４と、提携店舗に配置される２次元コード出力機能付きＰＯＳ端末５と、駐車場利用者（ユーザ）が所有する２次元コードデコード機能付き携帯端末６と、ユーザの駐車場利用料金を決済するクレジットカード会社７と、ユーザの車両８およびこの車両８に搭載されたＥＴＣ車載機９を備えて構成される。
【００２２】
これらの各構成要素又は手段は、それぞれ概略次の如く動作する。駐車場２には、駐車場管理サーバやＤＳＲＣ（Dedicated Short Range Communication:狭域通信）通信装置が設置されている。駐車場２に入場する際に、ユーザ（駐車場利用者）の車両８に設置されているＥＴＣ車載機９からＷＣＮ（ワイヤレスコールナンバ）などの車載器のＩＤを受信し、センターサーバ３に通知する。また、駐車場管理サーバ２は、利用者が出庫する際にもＷＣＮなどの車載器ＩＤを受信して駐車料金を算出し、センターサーバ３に通知する。以降、ＷＣＮを例に説明する。
【００２３】
センターサーバ３は、駐車場２の駐車場管理サーバとのデータ送受信、データベース４へのデータ書き込みおよびデータ参照を行う。また、駐車場利用者からの提携店舗での利用実績情報に基づいた駐車料金の割引処理、その後の駐車料金のクレジットカード会社への決済情報の提供および提携店舗への割引料金課金処理等も行う。
【００２４】
データベース４には、ユーザ（駐車場利用者）のＷＣＮなどの車載器ＩＤやクレジットカードナンバー、利用料金等の利用実績情報等が蓄積されている。ここで、駐車場利用者は、予め駐車場事業者１に対して自分のＥＴＣ車載機のＷＣＮ、クレジットカードナンバーおよびメールアドレス等を登録するものとする。提携店舗への課金情報等も蓄積されている。
【００２５】
提携店舗に設置される２次元コード出力ＰＯＳ端末５は、精算時に発行されるレシートに、その店舗名称、利用日時および精算金額等が２次元コードに変換されて一緒にプリントされる。２次元コードに埋め込むデータは、ＰＯＳ端末５側で設定できるものとする。また、機種によってはレシートの裏面に印刷することも可能である。ユーザ（駐車場利用者）が所有する携帯電話６には、２次元コードをデコードする機能、インターネットへのアクセス機能およびメール機能等が備えられている。
【００２６】
クレジットカード会社７は、予め駐車場利用者が登録したものであり、提携店舗による割引額を除いた駐車場利用料金が、駐車場事業者１から請求される。車両８は、ユーザが所有する車両である。ＥＴＣ車載機９は、車両８に搭載されており、各車載機に固有に振られたＩＤであるＷＣＮを持つ。
【００２７】
次に、図２のフローチャートを参照して、図１に示す本発明による駐車料金徴収装置の第１実施例の動作を詳細に説明する。ここで、駐車場事業者１が運営・管理する駐車場はＤＳＲＣ通信装置を有し、ＥＴＣ車載機を利用した入退場管理システムが導入されているものとする。
【００２８】
まず、ユーザ（駐車場利用者）が駐車場に入庫する（ステップＡ１）。次に、ユーザの車両８に設置されたＥＴＣ車載機９からＷＣＮを読み出す（ステップＡ２）。駐車場管理サーバ２からセンターサーバ３にＷＣＮを通知し、センターサーバ３は、データベース４からＷＣＮが事前に登録されているか否か判別する（ステップＡ３）。ここで、ユーザは、事前に駐車場事業者１に対してＥＴＣ車載機９のＷＣＮ、料金決済用クレジットカードナンバーおよびメールアドレス等を登録しているものとし、登録されているユーザの場合には、駐車場のゲート等を自動的に開き場内に入場する。登録されていない場合には、駐車券も発行できる駐車場であれば、駐車券を発行し入場する（ステップＡ４）。駐車場管理サーバ２は、利用料金算出のために入庫時刻を記録する（ステップＡ５）。
【００２９】
車両８を駐車したユーザは、提携店舗に移動し、その店舗を利用する（ステップＡ６）。買い物や食事等をして料金を精算すると、その店舗に設置された２次元コード出力ＰＯＳ端末５から、店舗名称、利用日時、精算金額およびアクセス先ＵＲＬ(Uniform Resource Locators)等の情報が埋め込まれた２次元コードも印刷されたレシートが発行される（ステップＡ７）。２次元コードに埋め込む情報は、ＰＯＳ端末５で設定できるものとする。ここで使用される２次元コードは、携帯電話６にデコード機能が搭載されているＱＲコードを想定している。また、レシートの裏面に２次元コードを印刷するＰＯＳ端末も考えられる。これにより、レシート用紙の使用量を削減することが可能となる。
【００３０】
レシートを受け取ったユーザは、携帯電話６を使用してレシートに印刷された２次元コードを読み取り、そこに埋め込まれていた指定ＵＲＬにアクセスする（ステップＡ８）。すると、２次元コードに埋め込まれた情報が指定ＵＲＬ先のサーバに通知される。情報を受け取ったサーバ（ここでは、駐車場事業者１のセンターサーバ３を想定）では、ユーザの利用実績情報を蓄積する。携帯電話からアクセスしただけでは利用者が誰か特定できないため、アクセスの際に利用者ＩＤ等を入力する仕組み、携帯電話用に作成されたＪａｖａ（登録商標）アプリケーション等と連動してユーザを特定するものとする。また、ある店舗やモール内での総利用額に応じて割引額が決まるような仕組みの場合には、センターサーバ３で複数の利用実績を蓄積し、駐車場料金精算の際に、利用総額を元に割引額を算出できるものとする（ステップＡ９）。
【００３１】
ユーザが駐車場から退場する際には、駐車場管理サーバ２は、ユーザのＥＴＣ車載機９からＷＣＮを受信する。駐車場管理サーバ２は、受信したＷＣＮの入庫記録があることを確認すると、ゲートを開きユーザは出庫する（ステップＡ１０）。同時に、駐車場管理サーバ２は、駐車場利用料金を算出し（ステップＡ１１）、センターサーバ３に通知する。ここで、駐車場利用料金は、センターサーバ３で算出してもよい。また、ステップＡ１０とステップＡ１１の順序は逆でもよい。
【００３２】
センターサーバ３は、ステップＡ９で算出した割引額を差し引いた駐車場利用料金をユーザが指定したクレジットカード会社７に通知し、決済される（ステップＡ１２）。決済は、月単位で纏め又はその都度行ってもよい。また、予め登録した銀行口座から料金を引き落とすことも可能である。併せて、ステップＡ９で算出した割引額を提携店舗に対して課金する（ステップＡ１３）。ここで、提携店舗に対して直接課金しても、クレジット決済等を利用してもよい。ステップＡ１１で、駐車料金および割引額をメールでユーザに通知してもよい。これにより、ユーザは実際に駐車料金がいくらで、割引金額がいくらか知ることができるため、ユーザビリティの向上に寄与する。
【００３３】
このように、第１実施例によると、チケットレスの駐車場入退場システムおよび、割引サービスが実現できる。その理由は、割引に関する情報を電子処理するためである。これにより、ユーザは駐車券を所持する必要がなくなり、提携店舗は駐車券を駐車場事業者から事前に購入し、保管する必要がなくなり、駐車場事業者も駐車券の製作コストを削減することが可能である。
【実施例２】
【００３４】
次に、本発明による駐車料金徴収装置の第２実施例を、図３および図４を参照して詳細に説明する。図３と図１の違いは、提携店舗の２次元コード出力ＰＯＳ端末がないことである。尚、図１に示す第１実施例に対応する構成要素には、便宜上、同様の参照符号を使用し、以下の説明では相違点を中心に説明することとする。
【００３５】
本発明の第２実施例の駐車料金徴収装置は、次のように動作する。ここで、駐車場事業者１０１が運営・管理する駐車場１０１には、ＥＴＣ車載機を利用した入退場管理システムが導入されているものとする。先ず、ユーザ（駐車場利用者）の車両１０８が駐車場に入庫する（ステップＢ１）。次に、ユーザの車両１８に設置されたＥＴＣ車載機１０９からＷＣＮを読み出し（ステップＢ２）、駐車場管理サーバ１０２からセンターサーバ１０３にＷＣＮを通知する。センターサーバ１０３は、データベース１０４からＷＣＮが事前に登録されているものか判別する（ステップＢ３）。ここで、ユーザは、事前に駐車場事業者１０１に対してＥＴＣ車載機１０９のＷＣＮ、料金決済用クレジットカードナンバーおよびメールアドレス等を登録しているものとし、登録されているユーザの場合には駐車場のゲート等を開けて場内に入場する。登録されていない場合には、駐車券も発行できる駐車場であれば、駐車券を受け取り入場する（ステップＢ４）。駐車場管理サーバ１０２は、利用料金算出のために入庫時間を記録する（ステップＢ５）と共に、ユーザの携帯電話に対して入庫時刻、ステップＢ８で割引情報を入力するための接続先ＵＲＬ等を通知する（ステップＢ６）。更に、提携店舗情報等も通知してもよい。
【００３６】
車両を駐車したユーザは、提携店舗に移動し、その店舗を利用する（ステップＢ７）。駐車場割引対象額以上の買い物や食事等をすると、ステップＢ６で受け取ったメールに記載されたＵＲＬに携帯電話１０６を使用してアクセスする。その店舗の店員等に店舗のＩＤおよびパスワード等と、精算金額等の利用実績情報を入力してもらい、送信する（ステップＢ８）。このとき、接続先ＵＲＬは固定でもよいが、ユーザの特定や、ユーザ以外が不正アクセスできないようにするために、ＵＲＬにシステムから固有ＩＤの引数等をつけるのが好ましい。ユーザ特定の他の手段として、アクセスの際に利用者ＩＤ等を入力する仕組みや、携帯電話用に作成されたＪａｖａアプリケーション等と連動してユーザを特定することも可能である。
【００３７】
店舗のＰＯＳ端末に赤外線通信等の無線通信機能があれば、それを介して上記の利用実績情報等を転送することも可能である。また、ある店舗やモール内での総利用額に応じて割引額が決まる仕組みの場合には、センターサーバ１０３で複数店舗での利用実績を蓄積し、駐車場料金精算の際に、利用総額を元に割引額を算出できるものとする（ステップＢ９）。
【００３８】
ユーザが駐車場から退場する際には、駐車場管理サーバ１０２は、ユーザのＥＴＣ車載機１０９からＷＣＮを受信する。駐車場管理サーバ１０２は、受信したＷＣＮの入庫記録があることを確認すると、ゲートを開きユーザは出庫する（ステップＢ１０）。同時に、駐車場管理サーバ１０２は駐車場利用料金を算出（ステップＢ１１）し、センターサーバ１０３に通知する。ここで、駐車場利用料金はセンターサーバ１０３で算出しても良い。センターサーバ１０３はステップＢ１１で算出した割引額を差し引いた駐車場利用料金をユーザが指定したクレジットカード会社７に通知し、決済される（ステップＢ１２）。決済は一定期間毎に纏めても、その都度行ってもよい。また、予め登録した銀行口座から料金を引き落とすことも可能である。併せて、ステップＢ９で算出した割引額を提携店舗に対して課金する（ステップＢ１３）。ここで、提携店舗に対して現金集金しても、クレジット決済等を利用してもよい。ステップＢ１１で、駐車料金および割引額をメールでユーザに通知してもよい。これにより、ユーザは実際に駐車料金がいくらで、割り引かれた金額がいくらか知ることが可能であるため、ユーザビリティの向上に寄与する。
【実施例３】
【００３９】
次に、本発明による駐車料金徴収装置の第３実施例を、図５および図６を参照して詳細に説明する。図５の第３実施例と図１の第１実施例との相違点は、割引情報管理サーバ２１０を追加したことである。この割引情報管理サーバ２１０は、駐車場事業者２０１以外、例えば提携店舗および第三者機関等が運用することとする。これにより、特定の駐車場事業者のみでなく複数の駐車場事業者が同じシステム上で同様のサービスを提供可能にする。
【００４０】
本発明の第３実施例の駐車料金徴収装置の動作を、図６のフローチャートを参照して説明する。ここで、駐車場事業者２０１が運営・管理する駐車場には、ＥＴＣ車載機を利用した入退場管理システムが導入されているものとする。ユーザ（駐車場利用者）の車両２０８が駐車場に入庫（ステップＣ１）すると、ユーザの車両２０８に設置されたＥＴＣ車載機２０９からＷＣＮを読み出し（ステップＣ２）、駐車場管理サーバ２０２からセンターサーバ２０３にＷＣＮを通知する。センターサーバ２０３は、データベース２０４からＷＣＮが事前に登録されているものか判別する（ステップＣ３）。ここで、ユーザは、事前に駐車場事業者２０１に対してＥＴＣ車載機２０９のＷＣＮ、料金決済用クレジットカードナンバーおよびメールアドレス等を登録しているものとする。登録されているユーザの場合には、駐車場のゲート等を開けて駐車場内に入場する。登録されていない場合には、駐車券も発行できる駐車場であれば、駐車券を発行し入庫する（ステップＣ４）。駐車場管理サーバ２０２は、利用料金算出のために入庫時間を記録する（ステップＣ５）。
【００４１】
車両２０８を駐車したユーザは、提携店舗に移動し、その店舗を利用する（ステップＣ６）。買い物や食事等をして、店舗に設置された２次元コード出力ＰＯＳ端末２０５で料金を精算すると、店舗名称、利用日時、精算金額およびアクセス先ＵＲＬ等の情報が埋め込まれた２次元コードが印刷されたレシートが発行される（ステップＣ７）。２次元コードに埋め込む情報は、ＰＯＳ端末２０５で設定可能とする。ここで使用される２次元コードは、携帯電話２０６にデコード機能が搭載されているＱＲコードを想定している。また、レシート裏面に２次元コードを印刷するＰＯＳ端末もある。これにより、レシート用紙の使用量を削減することが可能となる。
【００４２】
レシートを受け取ったユーザは、携帯電話２０６を使用してレシートに印刷された２次元コードを読み取り、そこに埋め込まれた指定ＵＲＬにアクセスする（ステップＣ８）。そして、２次元コードに埋め込まれた情報が指定ＵＲＬ先のサーバに通知される。ここでのアクセス先は、割引情報管理サーバ２１０であり、駐車場事業者２０１以外の提携店舗および第三者機関等が運用しているものとし、各店舗および第三者機関毎に複数存在することもあり得る。情報を受け取った割引情報管理サーバ２１０では、ユーザの利用実績情報を蓄積する。携帯電話からアクセスしたのみでは利用者が誰か特定できないため、アクセスの際に利用者ＩＤ等を入力する仕組みや、携帯電話用に作成されたＪａｖａアプリケーション等と連動してユーザを特定するものとする。また、ある店舗やショッピングモール内での総利用額に応じて割引額が決まるような仕組みの場合には、割引情報管理サーバ２１０でいくつかの利用実績を蓄積し、駐車場料金精算の際に、利用総額を元に割引額を算出できるものとする（ステップＣ９）。
【００４３】
ユーザが駐車場から出庫する際に、駐車場管理サーバ２０２は、ユーザのＥＴＣ車載機２０９からＷＣＮを受信する。駐車場管理サーバ２０２は、受信したＷＣＮの入庫記録があることを確認すると、ゲートを開きユーザは出庫する（ステップＣ１０）。同時に、駐車場管理サーバ２０２は、駐車場利用料金を算出（ステップＣ１１）し、センターサーバ２０３に通知する。ここで、駐車場利用料金はセンターサーバ２０３で算出してもよい。
【００４４】
センターサーバ２０３は、ステップＣ９で割引情報管理サーバ２１０が算出した割引額情報を受け取り、割引額を差し引いた駐車場利用料金をユーザが指定したクレジットカード会社２０７に通知し、決済される（ステップＣ１２）。決済は月単位で纏めても、その都度行ってもよい。また、予め登録した銀行口座から料金を引き落とすことも可能である。併せて、ステップＣ９で算出した割引額を提携店舗に対し課金する（ステップＣ１３）。ここで、提携店舗に対して直接課金しても、クレジット決済等を利用してもよい。ステップＣ１１で、駐車料金および割引額をメールでユーザに通知してもよい。これにより、ユーザは実際に駐車料金がいくらで、割り引かれた金額がいくらか知ることが可能であるため、ユーザビリティの向上に寄与する。
【実施例４】
【００４５】
次に、本発明による駐車料金徴収装置の第４実施例を図７および図８を参照して説明する。図７の駐車料金徴収装置と図３に示す第２実施例との相違点は、割引情報管理サーバ３１０を追加したことである。この割引情報管理サーバ３１０は、駐車場事業者３０１以外、例えば提携店舗および第三者機関等が運用することとする。これにより、特定の駐車場事業者のみでなく複数の駐車場事業者が同じシステム上で同様のサービスを提供可能になる。
【００４６】
本発明の第４実施例の動作を、図８のフローチャートを参照して説明する。ここで、駐車場事業者３０１が運営・管理する駐車場には、ＥＴＣ車載機を利用した入退場管理システムが導入されているものとする。ユーザ（駐車場利用者）の車両３０８が駐車場に入庫（ステップＤ１）すると、ユーザの車両に設置されたＥＴＣ車載機３０９からＷＣＮを読み出し（ステップＤ２）、駐車場管理サーバ３０２からセンターサーバ３０３にＷＣＮを通知する。センターサーバ３０３は、データベース３０４からＷＣＮが事前に登録されているものか判別する（ステップＤ３）。ここで、ユーザは事前に駐車場事業者３０１に対しＥＴＣ車載機３０９のＷＣＮ、料金決済用クレジットカードナンバーおよびメールアドレス等を登録しているものとする。登録されているユーザの場合には、駐車場のゲート等を開けて駐車場内に入場する。登録されていない場合に、駐車券も発行できる駐車場であれば、駐車券を発行し入場する（ステップＤ４）。駐車場管理サーバ３０２は、利用料金算出のために入庫時間を記録する（ステップＤ５）。これと同時に、ユーザの携帯電話に対して入庫時刻や、ステップＤ８で割引情報を入力するための接続先ＵＲＬ（割引情報管理サーバ３１０）等を通知する（ステップＤ６）。更に、提携店舗情報等も通知してもよい。
【００４７】
車両３０８を駐車したユーザは、提携店舗に移動し、その店舗を利用する（ステップＤ７）。駐車場割引対象額以上の買い物および食事等をしたら、ステップＤ６で受け取ったメールに記載されたＵＲＬに携帯電話３０６を使用してアクセスする。そして、そこに店舗ＩＤおよびパスワード等を定員に入力してもらい、送信する（ステップＤ８）。このとき、接続先ＵＲＬは固定でもよいが、ユーザの特定や、ユーザ以外が不正アクセスできないようにするため、ＵＲＬにシステムから固有ＩＤの引数等を付けるのが好ましい。ユーザ特定の他の手段として、アクセスの際に利用者ＩＤ等を入力する仕組みや、携帯電話用に作成されたＪａｖａアプリケーション等と連動してユーザを特定することも可能である。また、店舗のＰＯＳ端末に赤外線通信等の無線通信機能があれば、それを介して上記の利用実績情報等も転送可能である。
【００４８】
ここでのアクセス先は割引情報管理サーバ３１０であり、駐車場事業者３０１以外の提携店舗および第三者機関等が運用しているものとし、各店舗および第三者機関毎に複数存在することもあり得る。情報を受け取った割引情報管理サーバ３１０では、ユーザの利用実績情報を蓄積する。また、ある店舗やショッピングモール内での総利用額に応じて割引額が決まるような仕組みの場合には、割引情報管理サーバ３１０で複数店舗の利用実績を蓄積し、駐車場料金精算の際に、利用総額を元に割引額を算出できるものとする（ステップＤ９）。
【００４９】
ユーザが駐車場から出る際に、駐車場管理サーバ３０２は、ユーザのＥＴＣ車載機３０９からＷＣＮを受信する。駐車場管理サーバ３０２は受信したＷＣＮの入庫記録があることを確認すると、ユーザはゲート等を開いて出庫する（ステップＤ１０）。同時に、駐車場管理サーバ３０２は駐車場利用料金を算出（ステップＤ１１）し、センターサーバ３０３に通知する。ここで、駐車場利用料金はセンターサーバ３０３で算出してもよい。
【００５０】
センターサーバ３０３は、ステップＤ９で割引情報管理サーバ３０８が算出した割引額情報を受け取り、割引額を差し引いた駐車場利用料金をユーザが指定したクレジットカード会社３０７に通知し、決済される（ステップＤ１２）。決済は、月単位で纏めても、その都度行ってもよい。また、予め登録した銀行口座から料金を引き落とすことも可能である。併せて、ステップＤ９で算出した割引額を提携店舗に対して課金する（ステップＤ１３）。ここで、提携店舗に対して直接課金しても、クレジット決済等を利用してもよい。ステップＤ１１で、駐車料金および割引額をメールでユーザに通知してもよい。これにより、ユーザは実際に駐車料金がいくらで、割り引かれた金額がいくらか知ることができるため、ユーザビリティの向上に寄与する。
【実施例５】
【００５１】
次に、本発明による駐車料金徴収装置の第５実施例を、図９および図１０を参照して説明する。図９の駐車料金徴収装置と図３に示す第２実施例との相違点は、利用者の携帯端末を利用しないことである。
【００５２】
本発明の第５実施例の動作を、図１０のフローチャートを参照して説明する。ここで、駐車場事業者４０１が運営・管理する駐車場には、ＥＴＣ車載機４０９を利用した入退場管理システムが導入されているものとする。ユーザ（駐車場利用者）の車両４０８が駐車場に入庫（ステップＥ１）すると、ユーザの車両４０８に設置されたＥＴＣ車載機４０９からＷＣＮを読み出し（ステップＥ２）、駐車場管理サーバ４０２からセンターサーバ４０３にＷＣＮを通知する。センターサーバ４０３は、データベース４０４からＷＣＮが事前に登録されているか判別する（ステップＥ３）。ここで、ユーザは、事前に駐車場事業者４０１に対しＥＴＣ車載機４０９のＷＣＮ、料金決済用クレジットカードナンバーおよびメールアドレス等を登録しているものとする。登録されているユーザの場合には、駐車場のゲート等を開けて場内に入場する。登録されていない場合には、駐車券も発行できる駐車場であれば、駐車券を発行し入場する（ステップＥ４）。駐車場管理サーバ４０２は、利用料金算出のために入庫時間を記録する（ステップＥ５）と同時に、ユーザの携帯電話等に対して入庫時刻および提携店舗情報等を通知してもよい。
【００５３】
車両４０８を駐車したユーザは、提携店舗に移動し、その店舗を利用する（ステップＥ６）。駐車場割引対象額以上の買い物および食事等を精算すると、その情報がインターネット等を介してオンラインで駐車場事業者４０１のセンターサーバ４０３に通知される（ステップＥ７）。また、ある店舗やモール内での総利用額に応じて割引額がきまるような仕組みの場合には、センターサーバ４０３で複数店舗での利用実績を蓄積し、駐車場料金精算の際に、利用総額を元に割引額を算出できるものとする（ステップＥ８）。
【００５４】
ユーザが駐車場から出る際には、駐車場管理サーバ４０２は、ユーザのＥＴＣ車載機４０９からＷＣＮを受信する。駐車場管理サーバ４０２は、受信したＷＣＮの入庫記録があることを確認すると、ユーザはゲート等を開き出庫する（ステップＥ９）。同時に、駐車場管理サーバ４０２は駐車場利用料金を算出（ステップＥ１０）し、センターサーバ４０３に通知する。ここで、駐車場利用料金はセンターサーバ４０３で算出してもよい。
【００５５】
センターサーバ４０３は、ステップＥ１０で算出した割引額を差し引いた駐車場利用料金をユーザが指定したクレジットカード会社４０７に通知し、決済される（ステップＥ１１）。決済は一定期間毎に纏めても、その都度行ってもよい。また、予め登録した銀行口座から料金を引き落とすことも可能である。併せて、ステップＥ８で算出した割引額を提携店舗に対して課金する（ステップＥ１２）。ここで、提携店舗に対して現金集金しても、クレジット決済等を利用してもよい。ステップＥ１０で、駐車料金および割引額をメールでユーザに通知してもよい。これにより、ユーザは実際に駐車料金がいくらで、割り引かれた金額がいくらか知ることができるため、ユーザビリティの向上に寄与する。
【実施例６】
【００５６】
次に、本発明による駐車料金徴収装置の第６実施例を、図１１および図１２を参照して説明する。これまでの実施例との相違点は、従来からある紙や磁気カードによる割引券を併用することである。
【００５７】
本発明の第６実施例の動作を、図１２のフローチャートを参照して説明する。ここで、駐車場事業者５０１が運営・管理する駐車場には、ＥＴＣ車載機５０９を利用した入退場管理システムが導入されているものとする。また、駐車場利用者５０６は、あらかじめ駐車場事業者５０１が運営する会員サービスなどに登録し、会員ＩＤを有するＩＣカードなど会員カードを所有、あるいはクレジットカード番号などを駐車場事業者５０１に登録し、ＩＤから駐車場利用者が誰であるかが特定できるようになっているものとする。これらのデータはデータベース５０４に登録されている。
【００５８】
駐車場利用者５０６の車両５０８が駐車場に入庫（ステップＦ１）すると、ユーザの車両５０８に設置されたＥＴＣ車載機５０９からＷＣＮを読み出し（ステップＦ２）、駐車場管理サーバ５０２からセンターサーバ５０３にＷＣＮを通知する。センターサーバ５０３は、データベース５０４からＷＣＮが事前に登録されているか判別する（ステップＦ３）。ここで、ユーザは、事前に駐車場事業者５０１に対しＥＴＣ車載機５０９のＷＣＮ、会員ＩＤ、料金決済用クレジットカードナンバーおよびメールアドレス等を登録しているものとする。登録されているユーザの場合には、駐車場のゲート等を開けて場内に入場する。登録されていない場合には、駐車券も発行できる駐車場であれば、駐車券を発行し入場する（ステップＦ４）。駐車場管理サーバ５０２は、利用料金算出のために入庫時間を記録する（ステップＦ５）と同時に、駐車場利用者の携帯電話等に対して入庫時刻および提携店舗情報等を通知してもよい。
【００５９】
車両５０８を駐車したユーザは、提携店舗に移動し、その店舗を利用する（ステップＦ６）。駐車場割引対象額以上の買い物や食事等を精算すると、その金額に応じた割引券が提携店舗５０５から提供される（ステップＦ７）。  
【００６０】
駐車場利用者は自分の車両５０８に戻る前に、その駐車場などにある事前精算機５１０に、提携店舗からもらった割引券と自分の会員カードを投入する（ステップＦ８）。これにより、会員ＩＤと割引額の情報が駐車場事業者に通知され、登録される（ステップＦ９）。
【００６１】
ユーザが駐車場から出る際には、駐車場管理サーバ５０２は、ユーザのＥＴＣ車載機５０９からＷＣＮを受信する。駐車場管理サーバ５０２は、受信したＷＣＮの入庫記録があることを確認すると、ユーザはゲート等を開き出庫する（ステップＦ１０）。同時に、駐車場管理サーバ５０２は駐車場利用料金を算出し、センターサーバ５０３に通知する。ここで、駐車場利用料金はセンターサーバ５０３で算出してもよい。
【００６２】
センターサーバ５０３は、ステップＦ１０で算出した割引額を差し引いた駐車場利用料金を算出（ステップＦ１１）し、ユーザが指定したクレジットカード会社５０７に通知して決済される（ステップＦ１２）。決済は一定期間毎に纏めても、その都度行ってもよい。また、予め登録した銀行口座から料金を引き落とすことも可能である。
【００６３】
以上、本発明による駐車料金徴収方法および装置の好適実施例の構成および動作を詳述した。しかし、本発明は斯かる実施例に限定されるものではないことに留意されたい。例えば、本発明は駐車場に限らず決済額に応じた製品およびサービスの割引等に適用できる。他にも、決済額に応じたポイント付与、情報提供、電子クジ等の提供が可能である。また、料金決済に関連したサービスに適用できる。例えば、電子チケット購入等で事前に店舗で決済を行い、レシート等に印刷された２次元コードから電子チケットデータを入手することが可能となる。
【図面の簡単な説明】
【００６４】
【図１】本発明による駐車料金徴収装置の第１実施例の構成を示すブロック図である。
【図２】図１に示す装置の動作を説明するフローチャートである。
【図３】本発明による駐車料金徴収装置の第２実施例の構成を示すブロック図である。
【図４】図３に示す装置の動作を説明するフローチャートである。
【図５】本発明による駐車料金徴収装置の第３実施例の構成を示すブロック図である。
【図６】図５に示す装置の動作を説明するフローチャートである。
【図７】本発明による駐車料金徴収装置の第４実施例の構成を示すブロック図である。
【図８】図７に示す装置の動作を説明するフローチャートである。
【図９】本発明による駐車料金徴収装置の第５実施例の構成を示すブロック図である。
【図１０】図９に示す装置の動作を説明するフローチャートである。
【図１１】本発明による駐車料金徴収装置の第６実施例の構成を示すブロック図である。
【図１２】図１１に示す装置の動作を説明するフローチャートである。
【符号の説明】
【００６５】
１、１０１、２０１、３０１、４０１、５０１  駐車場事業者
２、１０２、２０２、３０２、４０２、５０２  駐車場サーバ
３、１０３、２０３、３０３、４０３、５０３  センターサーバ
４、１０４、２０４、３０４、４０４、５０４  データベース
５、１０５、２０５、３０５、４０５、５０５  提携店舗
６、１０６、２０６、３０６  駐車場利用者（携帯端末）
７、１０７、２０７、３０７、４０７、５０７  クレジットカード会社
８、１０８、２０８、３０８、４０８、５０８  車両
９、１０９、２０９、３０９、４０９、５０９  ＥＴＣ車載機
５１０          事前精算機
【図１】
2005182428.tif 000003
【図２】
2005182428.tif 000004
【図３】
2005182428.tif 000005
【図４】
2005182428.tif 000006
【図５】
2005182428.tif 000007
【図６】
2005182428.tif 000008
【図７】
2005182428.tif 000009
【図８】
2005182428.tif 000010
【図９】
2005182428.tif 000011
【図１０】
2005182428.tif 000012
【図１１】
2005182428.tif 000013
【図１２】
2005182428.tif 000014